(57)【要約】【課題】解決しようとする課題は、インナーリブを有する中空パネルに荷重を負荷した場合隣り合う該インナーリブ同士の中間は空洞となっているため、パネル上面とパネル下面は大きく変形してしまうという点である。【解決手段】互いにほぼ平行な複数のインナーリブと、該インナーリブにほぼ直交し、隣り合う該インナーリブ間を橋渡しする互いにほぼ平行な複数の通常リブを有し、大部分の該通常リブは該インナーリブを隔てて互い違いに並んでいて、大部分の該通常リブが該インナーリブを介して一直線には連なっていないようにすることにより前記課題を解決した。【選択図】図４
2008074039.tif 000002
【特許請求の範囲】
【請求項１】
熱可塑性樹脂の中空成形によるパネルであって、互いにほぼ平行な複数のインナーリブと、該インナーリブにほぼ直交し、隣り合う該インナーリブ間を橋渡しする互いにほぼ平行な複数の通常リブを有し、大部分の該通常リブは該インナーリブを隔てて互い違いに並んでいて、大部分の該通常リブが該インナーリブを介して一直線には連なっていないことを特徴とするパネル
【発明の詳細な説明】
【技術分野】
【０００１】
本発明は、熱可塑性樹脂を中空成形することにより製造される自動車用デッキボード等の、インナーリブを有する中空パネルに関する。
【背景技術】
【０００２】
インナーリブを有する中空パネルに関する従来技術としては特許文献１に開示されているようなものがある。
【特許文献１】特開２００４−２９１６４７
【０００３】
インナーリブとは、別名中実リブとも、隠しリブとも呼ばれるもので、中空成形において通常のリブを形成するためのコア型部材を、型締め直後にスライド機構等によってキャビティー内のパリソン中より引抜き、該コア型部材の引抜かれた痕の該パリソン中の空間を高圧空気によって圧縮、押し潰し、融着固化させることで中実なリブが形成されたもので、広く公知である。
【０００４】
しかし、該中空パネルの隣り合う該インナーリブ同士の中間は空洞のままであるから、特許文献１に開示されているような方法では該インナーリブに直交する方向の曲げに対する剛性とそうでない方向の曲げに対する剛性が大きく異なるという欠点があった。
【０００５】
図１〜図３を用いてより詳しく説明する。図１は従来のパネルの斜視図であり、一部を切り欠いて中空の内部が見えるようになっている。１はパネル、２は互いにほぼ平行な複数のインナーリブ、１１はパネル上面、１２はパネル下面を示す。
【０００６】
図２は図１中の断面Ａ−Ａを表す。該インナーリブ２は公知のスライド機構（図示せず）によりコア型部材（図示せず）を引抜かれ、該インナーリブ２は中空成形時の高圧空気によって圧縮、押し潰され、融着固化させられて融着面５が形成されている。
【０００７】
図３は図２に荷重Ｆを負荷した場合の変形図である。１５は支点である。図から分かるように隣り合う該インナーリブ同士の中間は空洞６となっているため、該パネル上面１１と該パネル下面１２は大きく変形してしまう。
【発明の開示】
【発明が解決しようとする課題】
【０００８】
解決しようとする課題は、インナーリブを有する中空パネルに荷重を負荷した場合隣り合う該インナーリブ同士の中間は空洞となっているため、パネル上面とパネル下面は大きく変形してしまうという点である。本発明は上記の点を解決するためになされた。
【課題を解決するための手段】
【０００９】
本発明は、熱可塑性樹脂の中空成形によるパネルであって、互いにほぼ平行な複数のインナーリブと、該インナーリブにほぼ直交し、隣り合う該インナーリブ間を橋渡しする互いにほぼ平行な複数の通常リブを有し、大部分の該通常リブは該インナーリブを隔てて互い違いに並んでいて、大部分の該通常リブが該インナーリブを介して一直線には連なっていないことを最も主要な特徴とする。
【発明の効果】
【００１０】
本発明によれば、中空成形によるパネルに、互いにほぼ平行な複数のインナーリブと、該インナーリブにほぼ直交し、隣り合う該インナーリブ間を橋渡しする互いにほぼ平行な複数の通常リブを設けたことで、該パネルに負荷が掛かっても該通常リブがあるために、パネル上面とパネル下面の変形は少なく、加えて大部分の該通常リブを該インナーリブを隔てて互い違いに並べたため、大部分の該通常リブが該インナーリブを介して一直線には連なっていないことで該通常リブの凹部にも該インナーリブの一部を残すことができ、負荷が掛かって該通常リブの凹部が開いてしまうことによる剛性の低下を防ぐことができるので、該インナーリブに直交する方向の曲げに対する剛性とそうでない方向の曲げに対する剛性が大きく異なることはないという利点がある。
【発明を実施するための最良の形態】
【００１１】
インナーリブを有する中空パネルに荷重を負荷した場合隣り合う該インナーリブ同士の中間は空洞となっているため、パネル上面とパネル下面は大きく変形してしまうことを防ぐという目的を、互いにほぼ平行な複数のインナーリブと、該インナーリブにほぼ直交し、隣り合う該インナーリブ間を橋渡しする互いにほぼ平行な複数の通常リブを設け、大部分の該通常リブを該インナーリブを隔てて互い違いに並ばせて、大部分の該通常リブが該インナーリブを介して一直線には連なっていないようにすることによって、中空成形の持つ経済性を損なわずに実現した。
【実施例１】
【００１２】
本発明の構成を発明の実施の形態に基づいて説明すると次の通りである。尚、従来例と同一の符号は同一の部材を表す。
【００１３】
図４は、本発明の１実施例を示すパネル１の斜視図であり、一部を切り欠いて中空の内部が見えるようになっている。
【００１４】
互いにほぼ平行な複数のインナーリブ２と、該インナーリブ２にほぼ直交し、隣り合う該インナーリブ２、２間を橋渡しする互いにほぼ平行な複数の通常リブ３を有し、該インナーリブ２と該通常リブ３とが阿弥陀籤状に配置されている
【００１５】
ここで言う「阿弥陀籤」とは「出費する人数に合わせて引いた平行線の一端に異なる金額を書いて隠しておき、各自が引き当てた金額を出し合う仕組みのくじ。今日では平行線の間に横線を入れることが多い。（阿弥陀仏の功徳(くどく)が平等であるからとも、もと、くじの図形が放射線状で阿弥陀仏の後光に似ているからとも。）」として非特許文献１に記載されているようなものを意味し、図４に示すように該通常リブ３は該インナーリブ２を隔てて互い違いに並んでいるため、該通常リブ３が該インナーリブ２を介して一直線には連なっていない。
【非特許文献１】大辞泉（小学館）
【００１６】
但し、該通常リブ３が該インナーリブ２を介して一直線には連ならないことが全体に亘る必要はなく、必要に応じて部分的に該通常リブ３が該インナーリブ２を介して一直線に連なる場合があってもよい。即ち、大部分の該通常リブは該インナーリブを隔てて互い違いに並んでいるため、大部分の該通常リブが該インナーリブを介して一直線には連なっていないことを意味する。尚、ここで言う「大部分」とは過半数を意味する。
【００１７】
次に本発明の作用を説明する。分割金型（図示せず）内にポリプロピレン等の半溶融状態の熱可塑性樹脂パリソン（図示せず）を垂下させ該分割金型を型締めする。
【００１８】
尚、該パリソンに適用される該熱可塑性樹脂としてはポリプロピレンに限らず、ポリエチレンや他のポリオレフィン系樹脂、ポリエチレンテレフタレートやポリブチレンテレフタレート等のポリエステル系樹脂、ポリアミド系樹脂、ポリアセタール系樹脂、シンジオタクチックポリスチレン、ポリスチレン、ゴム改質ポリスチレン、アクリロニトリル−スチレン共重合体、アクリロニトリル−ブタジエン−スチレン共重合体、変性ポリフェニレンオキサイド、ポリフェニレンサルファイド、ポリカーボネート等、中空成形が可能な樹脂であれば何でも良い。また、該熱可塑性樹脂にガラス繊維、炭素繊維、ボロン繊維、硫酸カルシウム粉末、炭酸カルシウム粉末等を混錬させた複合材であってもよい。
【００１９】
その後該パリソン内に高圧空気を吹き込んでブローアップし、中空成形を完了させる。
【００２０】
図５は、図４中の断面Ａ−Ａを表す。図３と同様の負荷が掛かっても該通常リブ３があるため、従来例に比べて該パネル上面１１と該パネル下面１２の変形は少ない。
【００２１】
図６は図５中の断面Ｂ−Ｂを表す。該通常リブ３を阿弥陀籤状に配置したことで該通常リブ３の凹部４にも該インナーリブ２の一部２’を残すことができ、負荷が掛かって該通常リブ３の該凹部４が開いてしまうことによる剛性の低下を防ぐことができる。
【００２２】
以上実施例に述べたように本発明によれば、中空成形によるパネルに、互いにほぼ平行な複数のインナーリブと、該インナーリブにほぼ直交し、隣り合う該インナーリブ間を橋渡しする互いにほぼ平行な複数の通常リブを設けたことで、該パネルに負荷が掛かっても該通常リブがあるために、パネル上面とパネル下面の変形は少なく、加えて大部分の該通常リブを該インナーリブを隔てて互い違いに並べたため、大部分の該通常リブが該インナーリブを介して一直線には連なっていないことで該通常リブの凹部にも該インナーリブの一部を残すことができ、負荷が掛かって該通常リブの凹部が開いてしまうことによる剛性の低下を防ぐことができるので、該インナーリブに直交する方向の曲げに対する剛性とそうでない方向の曲げに対する剛性が大きく異なることはないという効果がある。
【産業上の利用可能性】
【００２３】
本発明は、熱可塑性樹脂を中空成形することにより製造される自動車用デッキボード等のパネルに利用可能である。
【図面の簡単な説明】
【００２４】
【図１】従来のパネルの斜視図
【図２】図１中のＡ−Ａ断面図
【図３】図２に荷重が加わった場合の変形図
【図４】本発明に係る、パネルの斜視図
【図５】図３中のＡ−Ａ断面図
【図６】図４中のＢ−Ｂ断面図
【符号の説明】
【００２５】
１    パネル
２    インナーリブ
２’  インナーリブ２の一部
３    通常リブ
４    凹部
５    融着面
６    空洞
１１    パネル上面
１２    パネル下面
１５    支点
Ｆ    荷重
【図１】
2008074039.tif 000003
【図２】
2008074039.tif 000004
【図３】
2008074039.tif 000005
【図４】
2008074039.tif 000006
【図５】
2008074039.tif 000007
【図６】
2008074039.tif 000008
【手続補正書】
【提出日】平成18年11月22日(2006.11.22)
【手続補正１】
【補正対象書類名】図面
【補正対象項目名】図１
【補正方法】変更
【補正の内容】
【図１】
2008074039.tif 000009
【手続補正書】
【提出日】平成18年12月20日(2006.12.20)
【手続補正１】
【補正対象書類名】図面
【補正対象項目名】図４
【補正方法】変更
【補正の内容】
【図４】
2008074039.tif 000010
【手続補正書】
【提出日】平成19年3月29日(2007.3.29)
【手続補正１】
【補正対象書類名】図面
【補正対象項目名】図６
【補正方法】変更
【補正の内容】
【図６】
2008074039.tif 000011